(57)【要約】【課題】風で炎が吹き消されることなく、屋外での調理や湯沸かしを快適に行うことのできる携帯用バーナーの五徳を提供する。【解決手段】上下に短い筒状に形成された風防部材１と、この風防部材１の周方向複数箇所に装着される脚部材２とからなり、各脚部材２を風防部材１に脱着可能に係止連結して構成する。風防部材１の内壁から中心よりの離れた位置に支持部が形成されており、この支持部材にバーナーを載置したとき、風防部材１の内壁とバーナーの外周縁とによって環状の間隙を形成するよう構成している。【選択図】図１
0003143162.tif 000002
【実用新案登録請求の範囲】
【請求項１】
筒状に形成された風防部材と、
前記風防部材の周方向の複数箇所に装着される脚部材とからなり、
前記各脚部材を風防部材に脱着可能に係止連結してある
ことを特徴とする携帯用バーナーの五徳。
【請求項２】
請求項１記載の携帯用バーナーの五徳において、
前記脚部材に、風防部材の内部に配置したバーナーを載置可能な支持部を形成してある
ことを特徴とする携帯用バーナーの五徳。
【請求項３】
請求項２記載の携帯用バーナーの五徳において、
前記支持部は、風防部材の内壁から中心よりの離れた位置に形成されており、当該支持部材にバーナーを載置したとき、風防部材の内壁とバーナーの外周縁とによって環状の間隙を形成するよう構成してある
ことを特徴とする携帯用バーナーの五徳。
【請求項４】
請求項１ないし請求項３のいずれかに記載の携帯用バーナーの五徳において、
前記脚部材は、上端部に調理容器の載置部を形成してある
ことを特徴とする携帯用バーナーの五徳。
【請求項５】
請求項４に記載の携帯用バーナーの五徳において、
前記載置部は、上面を滑り止め用の凹凸が形成してある
ことを特徴とする携帯用バーナーの五徳。
【請求項６】
請求項４または請求項５に記載の携帯用バーナーの五徳において、
前記載置部は、風防部材の中心に向けて内下り傾斜させてある
ことを特徴とする携帯用バーナーの五徳。
【請求項７】
請求項１ないし請求項５のいずれかに記載の携帯用バーナーの五徳において、
前記風防部材は、上方に先細りのテーパー筒状に構成してある
ことを特徴とする携帯用バーナーの五徳。
【請求項８】
請求項１ないし請求項７のいずれかに記載の携帯用バーナーの五徳において、
前記脚部材の長さを前記風防部材の内径より短く設定してある
ことを特徴とする携帯用バーナーの五徳。
【請求項９】
請求項１ないし請求項８のいずれかに記載の携帯用バーナーの五徳において、
前記風防部材を周方向で複数分割し、各分割部材の端部同士を係止連結して筒状に組み立て可能に構成してある
ことを特徴とする携帯用バーナーの五徳。
【請求項１０】
請求項１ないし請求項８のいずれかに記載の携帯用バーナーの五徳において、
前記風防部材を高さ方向で複数に分割し、各分割部材を互いに嵌め込み重合可能に構成するとともに、各分割部材を高さ方向に伸展させた状態で所定の風防高さとなるよう構成してある
ことを特徴とする携帯用バーナーの五徳。
【請求項１１】
請求項１０に記載の携帯用バーナーの五徳において、
複数に分割された前記風防部材のうち直径が最大のものが他のものよりも大きい厚さに構成してある
ことを特徴とする携帯用バーナーの五徳。
【請求項１２】
請求項２ないし請求項１１のいずれかに記載の携帯用バーナーの五徳において、
前記支持部は、風防部材の下端より上側に形成してある
ことを特徴とする携帯用バーナーの五徳。
【考案の詳細な説明】
【技術分野】
【０００１】
本考案は、主として登山などにおいて携帯するバーナーの五徳に関する。
【背景技術】
【０００２】
携帯用のバーナーに用いられる五徳は、金属棒材や金属板材を組み上げて、複数（一般に３個）の脚部を備えて安定接地できるよう構成されている。また、五徳の中央にバーナーを配置し、五徳の上に調理容器を置いて使用される。
【特許文献１】特開平０９−２２９３８１号公報
【考案の開示】
【考案が解決しようとする課題】
【０００３】
携帯用のバーナーを野外で使用する場合、風によってバーナーの炎が吹き消されるといった問題がある。また当該問題を解決する手段として、荷物や石などありあわせのものを利用して風避けを作るなどしなければならならず、準備が煩わしいものになっている。
【０００４】
本考案はこのような事情に鑑みてなされたものであって、風でバーナーの炎が吹き消されることなく屋外での調理や湯沸かしを快適に行うことのできる携帯用バーナーの五徳を提供することを主たる目的としている。
【課題を解決するための手段】
【０００５】
この考案は、このような目的を達成するために、次のような構成をとる。
すなわち、請求項１に記載の考案は、筒状に形成された風防部材と、前記風防部材の周方向の複数箇所に装着される脚部材とからなり、前記各脚部材を風防部材に脱着可能に係止連結してあることを特徴とする。
【０００６】
（作用・効果）この構成によれば、風防部材は脚部材を使用姿勢に支持する部材として機能するとともに、その内部に配置されたバーナーの風避け機能を発揮する。また、脚部材を風防部材から取外すことで、コンパクトに持ち運びすることができる。
【０００７】
本考案の実施形態として、前記脚部材に、風防部材の内部に配置したバーナーを載置可能な支持部を形成することもできる。
【０００８】
この構成によれば、バーナーを地上から浮かせて所定の姿勢に安定保持することができ、凹凸のある地面においても調理容器を好適に過熱することができる。また、風防部材を把持して移動させるとき、バーナーを五徳と一体にして移動させることができる。
【０００９】
本考案の実施形態として、前記支持部は、風防部材の内壁から中心よりの離れた位置に形成されており、当該支持部材にバーナーを載置したとき、風防部材の内壁とバーナーの外周縁とによって環状の間隙を形成するよう構成することもできる。
【００１０】
この構成によれば、脚部材と風防部材とによって形成される下方の空間から間隙を通してバーナーに空気を供給することができる。すなわち、風防部材が風避けとして機能するとともに、バーナーの燃焼に最適な空気の循環流を形成し燃焼効率を向上させることができる。
【００１１】
本考案の実施形態として、前記脚部材は、上端部に調理容器の載置部を形成することもできる。
【００１２】
この構成によれば、調理容器の荷重は風防部材に働くことがなく、調理容器を安定良く支持することができる。
【００１３】
本考案の実施形態として、前記載置部は、上面を滑り止め用の凹凸が形成することもできる。
【００１４】
この構成によれば、載置した調理容器がずれ動くことを抑制し、好適に過熱することができる。
【００１５】
本考案の実施形態として、前記載置部は、風防部材の中心に向けて内下り傾斜させることもできる。
【００１６】
この構成によれば、底面が平坦な調理容器のみならず、底面が凸曲した調理容器でも安定して載置することができる。
【００１７】
本考案の実施形態として、前記風防部材は、上方に先細りのテーパー筒状に構成することもできる。
【００１８】
この構成によれば、風防部材の下端と地面との間から流入した空気を、風防部材の内面で案内して円滑に上昇流動させることができ、効率の良い燃焼を助長する。
【００１９】
本考案の実施形態として、前記脚部材の長さを前記風防部材の内径より短く設定することもできる。
【００２０】
この構成によれば、取外した脚部材を風防部材の中に横倒れ姿勢で入れることができ、持ち運びに便利となる。
【００２１】
本考案の実施形態として、前記風防部材を周方向で複数分割し、各分割部材の端部同士を係止連結して筒状に組み立て可能に構成することもできる。
【００２２】
この構成によれば、径の大きい風防部材でもコンパクトに分解することができ、持ち運びに便利となる。
【００２３】
本考案の実施形態として、前記風防部材を高さ方向で複数に分割し、各分割部材を互いに嵌め込み重合可能に構成するとともに、各分割部材を高さ方向に伸展させた状態で所定の風防高さとなるよう構成することもできる。
【００２４】
この構成によれば、高さの大きい風防部材でも嵩低く格納することができ、持ち運びに便利となる。
【００２５】
本考案の実施形態として、複数に分割された前記風防部材のうち直径が最大のものが他のものよりも大きい厚さに構成することが好ましい。
【００２６】
この構成によれば、最大径の風防部材に強度を持たせ、他のものの厚みを薄くすることが可能となる。したがって、風防部材全体の重量を軽減することができ、持ち運びに便利となる。
【００２７】
本考案の実施形態として、前記支持部は、風防部材の下端より上側に形成することが好ましい。
【００２８】
この構成によれば、風防部材によってバーナーの炎への横風を確実に避けることができる。
【考案の効果】
【００２９】
本考案によれば、五徳自体に風避け機能を備えることで、風でバーナーの炎が吹き消されることなく屋外での調理や湯沸かしを快適に行うことができる。
【考案を実施するための最良の形態】
【００３０】
以下、図面を参照して本考案の実施例を説明する。
【００３１】
図１に本考案に係る携帯用バーナーの五徳Ａの全体斜視図が、図２にその分解した斜視図が、図３にその正面図が、図４にその背面図が、図５にその平面図が、図６にその底面図が、図７にその右側面図が、図８にその左側面図がそれぞれ示されている。
【００３２】
この五徳Ａは、上下に短い円筒状に形成された風防部材１と、この風防部材１の周方向３箇所に脱着可能に装着された脚部材２とで構成されている。
【００３３】
風防部材１は、図１および図２に示すように、例えば厚さ1ｍｍ程度のステンレス鋼などの金属板材で、その内径が約９ｃｍ、高さが３ｃｍ程度の円筒状に構成されている。また、風防部材１は、上端および下端の周方向３箇所に脚部材装着用の上部ノッチ３と下部ノッチ４がそれぞれ対向形成されている。
【００３４】
脚部材２は、図１０に示すように、例えばステンレス鋼などの金属板材を打ち抜き加工して、高さが７ｃｍ程度、最大幅が１０数ｍｍの縦長形状に構成されている。また、脚部材２は、上半部が略垂直姿勢に形成されるとともに、下半部が外拡がりに傾斜されている。つまり、脚部材２は、風防部材１の内径よりも短く設定されている。
【００３５】
脚部材２の上端は調理容器の載置部５となっており、複数個の小さい切欠き６によって凹凸が形成されている。したがって、切欠き６は、載置された調理容器のずれ動きを防止する滑り止め構造として機能する。また、脚部材２の上端部近くと下半部には軽量化のための透孔７が形成されている。
【００３６】
脚部材２の上半部における外端辺には、風防部材１を嵌め入れる縦長の凹部８が形成されている。この凹部８の上端部には下向きに深く形成された上部係合凹部９が形成されるとともに、凹部８の下端部には上向きに浅く形成された下部係合凹部１０が形成されている。これら上部係合凹部９と下部係合凹部１０を風防部材１の上部ノッチ３と下部ノッチ４にそれぞれ以下のような手順で係止することで、風防部材１に脚部材２を所定の縦向き姿勢で装着固定することができるようになっている。
【００３７】
すなわち、脚部材２の装着に際しては、脚部材２を風防部材１の内側に入れ、先ず、図９（ａ）に示すように、傾斜姿勢にした脚部材２の上部係合凹部９を風防部材１の上部ノッチ３に上方から係合する。次に、傾斜姿勢の脚部材２を、上部ノッチ３との係合箇所を支点にして外方に揺動（図中右側）させる。この場合、下部係合凹部１０おける入口突起１０ａの上端が下部ノッチ４の上端より若干低い位置となり、図９（ｂ）に示すように、入口突起１０ａを下部ノッチ４に通過させて外方にまで移動させることができる。次に、図９（ｃ）に示すように、風防部材１を下げて下部ノッチ４を下部係合凹部１０に係合させる。この場合、上部係合凹部９は深く形成されているので、風防部材１を下げても上部係合凹部９が上部ノッチ３から外れることはなく、上下２箇所での係止によって脚部材２は所定の縦姿勢で風防部材１に固定支持される。また、凹部８の上下中間部位に形成された小突起８ａが風防部材１の内面に圧接されることで脚部材２が内外方向に動くことが阻止される。また、上記した手順を逆に行うことで、五徳Ａを風防部材１と３本の脚部材２とに分解することができる。
【００３８】
上記手順で各脚部材２を風防部材１の所定３箇所に装着することで、図１に示すように、脚部材２の上端に形成された載置部５が放射状に配置されて風防部材１から上方に突設されるとともに、外拡がり傾斜した脚部材２を介して安定良く接地する五徳Ａが組み上げられる。
【００３９】
組み上げられた五徳Ａの各脚部材２における内側端辺の上下中間部には上向き段差状の支持部１１が形成されている。この支持部１１は、風防部材１の下端より上側に形成されている。図１１〜図１３に示すように、バーナー１２を上方から風防部材１の中に入れて、その外周に備えられたフランジ部１２ａを各脚部材２の支持部１１にわたって載置することで、バーナー１２を地面から浮上させた状態で、所定姿勢に安定良く支持することができる。このように支持されたバーナー１２のノズル部１２ｂが風防部材１の上下中間に位置しており、炎が風で吹き消されることが防止される。
【００４０】
脚部材２に支持されたバーナー１２と風防部材１との間には環状の間隙ｃが形成され、この間隙ｃを通って下方から流入する空気が風防部材１の内面で案内されて燃焼箇所に導かれ、安定した空気流入によって効率の良い燃焼が行われる。
【００４１】
本実施例の五徳Ａは、図１４に示すように、各脚部材２の支持部１１にわたって金属板材１４を載置して、この上にパラフィンなどの固形燃料１５を置いて使用したり、あるいは、図１５に示すように、風防部材１の中心に空き缶などの台１６を置いて、その上に固形燃料１５を載置して使用したりすることができる。また、図示しないが、ガスボンベ付きのバーナー１２を脚部材２の間から風防部材１の下に差し込んで使用することもできる。
【００４２】
分解した五徳Ａを分解して持ち運び、あるいは、格納しておく際には、図１６に示すように、取外された脚部材２に挿通して環状に連結したクランプワイヤ１３を風防部材１に繋いでおくことで、脚部材２の紛失を回避することができる。また、脚部材２を風防部材１の内側に入れておくことでコンパクトに格納して持ち運びすることができる。
【００４３】
本考案の基本的な実施例は以上のようであるが、その他の変形した実施例を以下に例示する。
【００４４】
（１）図１７に示すように、風防部材１を先細りのテーパー筒状に構成して、下方から吸い込む空気の流動を良くした形態で実施することもできる。
【００４５】
（２）図１８に示すように、脚部材２の上端に設けた載置部５を風防部材１の中心に向けて内下り傾斜させることで底面が凸曲した調理容器でも安定良く載置保持することができる。
【００４６】
（３）図１９に示すように、脚部材２の上端に設けた載置部５を厚く形成すれば、調理容器を高い強度で安定良く載置保持することができる。
【００４７】
（４）図２０〜図２３に示すように、風防部材１を半筒状に形成された一対の分割部材１ａ，１ｂで構成し、一方の分割部材１ａの両端に外向きに屈曲突出させた縦長の係止突片１７を、他方の分割部材１ｂの両端部に形成したスリット１８に内側から差込み係止して短筒状に組み立てることもできる。組み立てに際しては、一方の係止突片１７を一方のスリット１８に差し込んだ後、係止突片付きの分割部材１ａを内向きに少し弾性変形させることで他方の係止突片１７を他方のスリット１８に内側から差込み係止することができる。図２３に示すように、分解した分割部材１ａ，１ｂを重ね合わせることでコンパクトに持ち運びすることができる。
【００４８】
（６）図２４に示すように、上記実施例の風防部材１に比べて高さの小さい複数の分割部材１ｃ，１ｄ，１ｅを上下に連結することで、所望高さの風防部材１を構成することもできる。この場合、各分割部材１ｃ，１ｄ，１ｅの径を板厚ずつ異ならせることで、分割部材１ｃ，１ｄ，１ｅを互いに嵌め合わせ重ねて嵩低く格納することができ、持ち運びに便利となる。分割部材１ｃ，１ｄ，１ｅを上下に嵌合伸縮する手段の一例としては、図２５に示すように、ネジ込み伸縮可能に構成したり、単に、上下にスライド伸縮可能に嵌合して、風防用の伸長状態においてピンやネジを用いて固定する構造を採用したりすることもできる。
【００４９】
（７）風防部材１に脚部材２を脱着可能に係止連結する手段としては、上記構造以外の種々の構造を選択することができる。例えば、脚部材２に備えた縦長の係合突片を風防部材１に形成した縦長のスリットに内方あるいは外方から差し込んで係止連結する構造、などを利用することもできる。
【００５０】
（８）上記実施例では、脚部材２に調理容器の載置部５を設けて、調理容器の荷重を風防部材１に作用させない構造としているが、風防部材１の上端に調理容器の載置部５を一体に設けて実施することも可能である。
【００５１】
（９）上記実施例における脚部材２は、小突起８ａを有さない構成であってもよい。
【図面の簡単な説明】
【００５２】
【図１】五徳の全体外観を示す斜視図である。
【図２】分解した斜視図である。
【図３】正面図である。
【図４】背面図である。
【図５】平面図である。
【図６】底面図である。
【図７】右側面図である。
【図８】左側面図である。
【図９】脚部材の取付け手順を示す側面図である。
【図１０】脚部材の斜視図である。
【図１１】バーナー装着状態を示す正面図である。
【図１２】バーナー装着状態を示す平面図である。
【図１３】図１２におけるｘ−ｘ断面図である。
【図１４】使用形態の一例を示す縦断面図である。
【図１５】使用形態の他の例を示す縦断面図である。
【図１６】非使用時の格納状態を示す斜視図である。
【図１７】他の実施例の縦断面図である。
【図１８】他の実施例の縦断面図である。
【図１９】脚部材の他の実施例を示す斜視図である。
【図２０】他の実施例の風防部材を示す斜視図である。
【図２１】他の実施例の風防部材の分解斜視図である。
【図２２】他の実施例の風防部材の一部切欠き平面図である。
【図２３】他の実施例の風防部材の格納状態を示す一部切欠き平面図である。
【図２４】その他の実施例を示す縦断面図である。
【図２５】風防部材の伸縮構造を示す要部の縦断面図である。
【符号の説明】
【００５３】
１    …  風防部材
１ａ  …  分割部材
１ｂ  …  分割部材
１ｃ  …  分割部材
１ｄ  …  分割部材
１ｅ  …  分割部材
２    …  脚部材
５    …  載置部
１１  …  支持部
１２  …  バーナー
【図１】
0003143162.tif 000003
【図２】
0003143162.tif 000004
【図３】
0003143162.tif 000005
【図４】
0003143162.tif 000006
【図５】
0003143162.tif 000007
【図６】
0003143162.tif 000008
【図７】
0003143162.tif 000009
【図８】
0003143162.tif 000010
【図９】
0003143162.tif 000011
【図１０】
0003143162.tif 000012
【図１１】
0003143162.tif 000013
【図１２】
0003143162.tif 000014
【図１３】
0003143162.tif 000015
【図１４】
0003143162.tif 000016
【図１５】
0003143162.tif 000017
【図１６】
0003143162.tif 000018
【図１７】
0003143162.tif 000019
【図１８】
0003143162.tif 000020
【図１９】
0003143162.tif 000021
【図２０】
0003143162.tif 000022
【図２１】
0003143162.tif 000023
【図２２】
0003143162.tif 000024
【図２３】
0003143162.tif 000025
【図２４】
0003143162.tif 000026
【図２５】
0003143162.tif 000027